(57)【要約】【課題】閉鎖した構造断面を有する既設の柱や梁の内部の点検を可能にする。【解決手段】閉鎖断面を有する柱１６の側面に形成された外部開口部２８を貫通してこの柱１６の内部に配置され、一方の端部３０から観察部３８を突出させて観察機器３４を挿通可能なガイド管２２を有する建物１０。【選択図】図３
2013147801.tif 000002
【特許請求の範囲】
【請求項１】
閉鎖断面を有する柱又は梁からなる構造部材と、
前記構造部材の側面に形成された外部開口部を貫通して該構造部材の内部に配置され、前記構造部材の内部に一方の端部が位置し、内装面に設けられた設備部材を取り外すことにより形成される設備開口部へ他方の端部が向かい、可撓性を有する長尺状の観察機器の先端部に設けられた観察部を前記一方の端部から突出させて該観察機器を挿通可能なガイド管と、
を有する建物。
【請求項２】
前記構造部材の内部には、前記ガイド管が貫通する内部開口部が形成された補強部材が設けられている請求項１に記載の建物。
【請求項３】
前記ガイド管の内空断面の大きさは、ホースの挿入が可能な大きさになっている請求項１又は２に記載の建物。
【請求項４】
前記ガイド管は、柔軟性を有する管体である請求項１〜３の何れか１項に記載の建物。
【請求項５】
隣り合う前記構造部材の一方に設けられた前記ガイド管の他方の端部は、隣り合う前記構造部材の他方を横方向へ貫通する貫通管と、隣り合う前記構造部材の間に配置されて前記貫通管と連通する連結管とによって構成されている請求項１〜４の何れか１項に記載の建物。
【請求項６】
請求項１〜５の何れか１項に記載の建物の点検方法において、
前記設備部材を取り外す工程と、
前記設備開口部から前記ガイド管へ前記観察機器を挿入する工程と、
前記ガイド管の一方の端部から突出させた前記観察部により前記構造部材の内部を点検する工程と、
を有する建物の点検方法。
【請求項７】
前記観察部により前記構造部材の内部を点検した後に前記ガイド管から前記観察機器を引き出す工程と、
先端部に洗浄液の放出口が設けられた洗浄ホースを前記設備開口部から前記ガイド管へ挿入する工程と、
前記ガイド管の一方の端部から突出させた前記放出口からの洗浄液の放出により前記構造部材の内部を洗浄する工程と、
を有する請求項６に記載の建物の点検方法。
【発明の詳細な説明】
【技術分野】
【０００１】
本発明は、閉鎖した構造断面を有する柱や梁により構成される建物に関する。
【背景技術】
【０００２】
閉鎖した構造断面を有する柱や梁により構成されている建物においては、柱や梁の内部の浸水、腐食等の状況を目視により点検することが困難である。また、例えば、内視鏡を用いて柱や梁の内部の点検を行おうとした場合、柱や梁の内部に内視鏡を挿入するために、点検時において、一部の内装壁を取り壊したり、既設の柱や梁に挿入孔をあけたりする等の煩雑な作業を行わなければならない。
【０００３】
特許文献１には、高温のガスタービン室等の作業員の立ち入りが困難な場所で機器や配管等の点検検査を行う点検検査装置が開示されている。この点検検査装置は、点検検査ルートに沿って事前に設置しておいたガイドパイプをガイドにして、テレビカメラを搭載した点検検査モジュールを移動させながら、このテレビカメラから送られてくる画像を確認して点検検査を行うものである。点検検査モジュールは、ガイドパイプに沿って、このガイドパイプの外側を移動する。
【０００４】
しかし、このような点検検査装置を、閉鎖した構造断面を有する柱や梁の内部の点検に用いようとした場合、柱や梁の内部の空間は狭く、また、柱や梁の内部には強度を上げるための補強部材等が設けられていることがあるので、点検検査モジュールが柱や梁の内壁や補強部材等に当たって、ガイドパイプに沿って移動できなくなってしまうことが懸念される。
【先行技術文献】
【特許文献】
【０００５】
【特許文献１】特開２００３−２０２３０１号公報
【発明の概要】
【発明が解決しようとする課題】
【０００６】
本発明は係る事実を考慮し、閉鎖した構造断面を有する既設の柱や梁の内部の点検を可能にすることを課題とする。
【課題を解決するための手段】
【０００７】
請求項１に記載の建物は、閉鎖断面を有する柱又は梁からなる構造部材と、前記構造部材の側面に形成された外部開口部を貫通して該構造部材の内部に配置され、前記構造部材の内部に一方の端部が位置し、内装面に設けられた設備部材を取り外すことにより形成される設備開口部へ他方の端部が向かい、可撓性を有する長尺状の観察機器の先端部に設けられた観察部を前記一方の端部から突出させて該観察機器を挿通可能なガイド管と、を有する。
【０００８】
次に、請求項１に記載の建物の作用を説明する。
請求項１に記載の建物では、設備部材を取り外すだけで、観察部を一方の端部から突出させて観察機器をガイド管に挿通することができる。
【０００９】
請求項２に記載の建物は、請求項１に記載の建物において、前記構造部材の内部には、前記ガイド管が貫通する内部開口部が形成された補強部材が設けられている。
【００１０】
次に、請求項２に記載の建物の作用を説明する。
請求項２に記載の建物では、補強部材の内部開口部へガイド管を貫通させて、ガイド管を構造部材の内部に配置することができる。
【００１１】
請求項３に記載の建物は、請求項１又は２に記載の建物において、前記ガイド管の内空断面の大きさは、ホースの挿入が可能な大きさになっている。
【００１２】
次に、請求項３に記載の建物の作用を説明する。
請求項３に記載の建物では、ガイド管にホースを挿入することができる。
【００１３】
請求項４に記載の建物は、請求項１〜３の何れか１項に記載の建物において、前記ガイド管は、柔軟性を有する管体である。
【００１４】
次に、請求項４に記載の建物の作用を説明する。
請求項４に記載の建物では、構造部材の側面に形成された外部開口部から構造部材の内部へガイド管を挿入して、構造部材の内部にガイド管を配置する場合に、構造部材の内部にある補強部材等の障害物にガイド管の一方の端部が当たっても、この端部を撓ませて障害物を交わすことができる。
【００１５】
請求項５に記載の建物は、請求項１〜４の何れか１項に記載の建物において、隣り合う前記構造部材の一方に設けられた前記ガイド管の他方の端部は、隣り合う前記構造部材の他方を横方向へ貫通する貫通管と、隣り合う前記構造部材の間に配置されて前記貫通管と連通する連結管とによって構成されている。
【００１６】
次に、請求項５に記載の建物の作用を説明する。
請求項５に記載の建物では、他方の構造部材側に設けられた設備開口部から一方の構造部材へ観察機器を送り込むことができる。
【００１７】
請求項６に記載の建物の点検方法は、請求項１〜５の何れか１項に記載の建物の点検方法において、前記設備部材を取り外す工程と、前記設備開口部から前記ガイド管へ前記観察機器を挿入する工程と、前記ガイド管の一方の端部から突出させた前記観察部により前記構造部材の内部を点検する工程と、を有する。
【００１８】
次に、請求項６に記載の建物の点検方法の作用を説明する。
請求項６に記載の建物の点検方法では、ガイド管に挿入した観察機器の観察部によって構造部材の内部を点検することができる。
【００１９】
請求項７に記載の建物の点検方法は、請求項６に記載の建物の点検方法において、前記観察部により前記構造部材の内部を点検した後に前記ガイド管から前記観察機器を引き出す工程と、先端部に洗浄液の放出口が設けられた洗浄ホースを前記設備開口部から前記ガイド管へ挿入する工程と、前記ガイド管の一方の端部から突出させた前記放出口からの洗浄液の放出により前記構造部材の内部を洗浄する工程と、を有する。
【００２０】
次に、請求項７に記載の建物の点検方法の作用を説明する。
請求項７に記載の建物の点検方法では、観察機器の観察部により構造部材の内部を点検した後に、洗浄液の放出により構造部材の内部を洗浄して補修を行うことができる。
【発明の効果】
【００２１】
以上説明したように請求項１に記載の建物は上記の構成としたので、設備部材を取り外すだけで、点検時に一部の内装壁を取り壊したり、観察機器を挿入する挿入孔を既設の柱や梁にあけたりする等の煩雑な作業を行わずに、観察機器をガイド管へ挿通して構造部材の内部を点検することができる。すなわち、閉鎖した構造断面を有する既設の柱や梁の内部の点検を可能にするという優れた効果を有する。
【００２２】
請求項２に記載の建物は上記構成としたので、補強部材が設けられている構造部材の内部へのガイド管の配置自由度を高くすることができる。
【００２３】
請求項３に記載の建物は上記構成としたので、ガイド管に挿入したホースを用いて構造部材の内部を補修することができる。例えば、ガイド管に高圧洗浄ホースを挿入すれば、構造部材の内部を洗浄することができる。
【００２４】
請求項４に記載の建物は上記構成としたので、構造部材の内部にガイド管を配置する際に、構造部材の内部にある補強部材等の障害物にガイド管の一方の端部が当たっても、障害物を交わしてガイド管を配置することができる。
【００２５】
請求項５に記載の建物は上記構成としたので、隣り合う構造部材が近接している場合でも、他方の構造部材側に設けられた設備開口部から一方の構造部材へ観察機器を送り込むことができるので、観察機器を送り込む設備開口部の位置の自由度が高くなる。
【００２６】
請求項６に記載の建物の点検方法は上記構成としたので、設備部材を取り外すだけで、点検時に一部の内装壁を取り壊したり、観察機器を挿入する挿入孔を既設の柱や梁にあけたりする等の煩雑な作業を行わずに、観察機器をガイド管へ挿通し構造部材の内部を観察部によって点検することができる。すなわち、閉鎖した構造断面を有する既設の柱や梁の内部の点検を可能にする。
【００２７】
請求項７に記載の建物の点検方法は上記構成としたので、観察機器の観察部により構造部材の内部を点検した後に、ガイド管に挿通した洗浄ホースにより構造部材の内部を洗浄して補修を行うことができる。すなわち、１つのガイド管を有効利用して、構造部材の内部の点検と補修との２工種を行うことができる。
【図面の簡単な説明】
【００２８】
【図１】第１実施形態に係る建物の部屋内を示す斜視図である。
【図２】第１実施形態に係る建物を示す斜視図である。
【図３】第１実施形態に係る建物の点検方法を示す説明図である。
【図４】第１実施形態に係る建物の補修方法を示す説明図である。
【図５】第２実施形態に係るガイド管を示す斜視図である。
【図６】第１実施形態に係る柱の内部構造の変形例を示す断面図である。
【図７】第１実施形態に係る柱の内部構造の変形例を示す断面図である。
【図８】第１実施形態に係るガイド管の配置方法の一例を示す説明図である。
【発明を実施するための形態】
【００２９】
本発明の第１実施形態に係る建物の一例について説明する。
【００３０】
図１の斜視図には、建物１０の部屋の内側から、内装面としての内装壁面１２を見た状況が示されている。図２の斜視図に示すように、建物１０は、一例として示す、複数の同一形状の建物ユニット１４を有する２階建ての住宅である。
【００３１】
建物ユニット１４は、４本の構造部材としての柱１６と、隣り合う柱１６の上端部同士を繋ぐ天井梁１８と、隣り合う柱１６の下端部同士を繋ぐ床梁２０とを備え、柱１６の上端部（柱梁仕口部）と天井梁１８の左右端部、及び柱１６の下端部（柱梁仕口部）と床梁２０の左右端部とを溶接等により接合したラーメン構造の構造物である。建物１０の外周には、パネル状の外装材、窓、ドア等（不図示）が設けられている。
【００３２】
柱１６には、略正方形の閉鎖断面を構造断面とする角形鋼管が用いられ、天井梁１８及び床梁２０には、溝形鋼が用いられている。
【００３３】
図１に示すように、柱１６の内部には、合成樹脂により形成された柔軟性を有する円筒管からなるガイド管２２が配置されている。また、図３（ａ）の正面断面図に示すように、柱１６の下端部（柱梁仕口部）の内部には、補強部材としての鋼製の補強プレート２４が、柱１６の閉鎖断面を塞ぐように略水平に設けられている。補強プレート２４は、柱１６の下端部（柱梁仕口部）の曲げ強度を高めるために設けられており、床材２６よりもやや低い位置に配置されている。
【００３４】
図３（ａ）に示すように、ガイド管２２は、柱１６の側面に形成された外部開口部としての貫通孔２８を貫通して柱１６の内部に配置されている。ガイド管２２の一方の端部３０は、補強プレート２４の略中央部に形成された内部開口部としての貫通孔３２を貫通して柱１６の内部に位置している。すなわち、ガイド管２２の一方の端部３０は、床下（床材２６の下方）に位置している。また、ガイド管２２の一方の端部３０は、柱１６の内部の点検する部分を、ガイド管２２の一方の端部３０の管口から突出させた後述する内視鏡３４のカメラ３８によって観察できる位置に配置されている。すなわち、内視鏡３４のカメラ３８をガイド管２２の一方の端部３０から突出させて、内視鏡３４がガイド管２２に挿通される。
【００３５】
図３（ａ）に示すように、ガイド管２２の他方の端部４０は、柱１６の外部へ露出している。ガイド管２２の他方の端部４０は、内装壁面１２に設けられた設備部材としてのスイッチパネル４２を取り外すことにより形成される矩形状の設備開口部４４へ向かっている（図１には、スイッチパネル４２を取り外して形成された設備開口部４４が描かれている）。ガイド管２２の他方の端部４０は、設備開口部４４からガイド管２２の他方の端部４０の管口へ、後述する内視鏡３４、高圧洗浄ホース４６等の挿入部材を挿入できる位置にあればよく、設備開口部４４に達していてもよいし、達していなくてもよい。
【００３６】
柱１６へのガイド管２２の設置は、建物の新築工事、建物のリフォーム工事、工場等での柱１６の製作のとき等に行う。柱１６の内部は、貫通孔２８からのガイド管２２の挿入によって、ガイド管２２を柱１６の内部の所定位置（柱１６の内部の点検する部分を、ガイド管２２の一方の端部３０から突出させた後述する内視鏡３４のカメラ３８によって観察できる位置）に配置できる構造になっている。すなわち、柱１６の内部は、柱１６の内部に設けられている補強部材等の障害物の形状や障害物に形成された開口部などによって、ガイド管２２の一方の端部３０の進入を妨げない構造になっている。これにより、閉鎖断面を有する柱１６の内部の狭い空間に、ガイド管２２を配置することができる。
【００３７】
ここで、建物１０の点検方法として、図３（ａ）〜（ｃ）の正面断面図に示す一例を説明する。
【００３８】
まず、図３（ａ）に示すように、内装壁面１２に設けられているスイッチパネル４２を取り外す。
【００３９】
次に、図３（ｂ）に示すように、観察機器としての内視鏡３４を設備開口部４４からガイド管２２の他方の端部４０の管口へ挿入する。内視鏡３４は、内視鏡チューブ３６と、この内視鏡チューブ５２の先端部に設けられた観察部としてのカメラ３８とを備えており、一端側から他端側（カメラ３８が設けられている側）の観察を可能とする可撓性を有した長尺状の機器である。
【００４０】
次に、ガイド管２２への内視鏡３４の挿入を続けて、内視鏡３４のカメラ３８をガイド管２２の一方の端部３０の管口から突出させ、この位置でガイド管２２に内視鏡３４を設置（挿通）する。
【００４１】
次に、図３（ｃ）に示すように、カメラ３８により柱１６の内部を点検する。これによって、柱１６の内部を点検し、柱１６の構造部材としての健全性を確認することができる。例えば、洪水や津波等の水害を受けて建物１０が床下浸水した場合には、海水、汚水、泥水等の浸入の有無や、海水、汚水、泥水等による柱１６の内壁面の濡れの有無や、柱１６の内壁面の腐食などを確認することができる。
【００４２】
また、このような、建物１０の点検によって、柱１６の内部に補修が必要と判断された場合には、ガイド管２２から内視鏡３４を引き出した後に、さまざまな補修用途のホースをガイド管２２へ挿入し、柱１６の内部にさまざまな種類の補修を施すことができる。ホースは、可撓性を有するものが好ましい。
【００４３】
例えば、図４の正面断面図に示すように、ホースとしての高圧洗浄ホース４６を設備開口部４４からガイド管２２の他方の端部４０の管口へ挿入して、高圧洗浄ホース４６を構成するホース本体４８の先端部に設けられた放出口５０をガイド管２２の一方の端部３０の管口から突出させ、放出口５０から洗浄水を放出（注入）して柱１６の内部を洗浄することができる。
【００４４】
また、例えば、ホースとしての高圧洗浄ホース４６を設備開口部４４からガイド管２２の他方の端部４０の管口へ挿入して、高圧洗浄ホース４６を構成するホース本体４８の先端部に設けられた噴出口（不図示）をガイド管２２の一方の端部３０から突出させ、柱１６の内壁面に噴出口から洗浄水を吹き付けて洗浄することができる。
【００４５】
また、例えば、ホースとしての吸水ホース（不図示）を設備開口部４４からガイド管２２の他方の端部４０の管口へ挿入して、吸水ホースを構成するホース本体の先端部に設けられた吸水口をガイド管２２の一方の端部３０から突出させ、柱１６の内部に溜まった海水、汚水、泥水等を吸水口から吸い出すことができる。
【００４６】
また、例えば、ホースとしてのダクトホース（不図示）を設備開口部４４からガイド管２２の他方の端部４０の管口へ挿入して、ダクトホースを構成するホース本体の先端部に設けられた噴出口をガイド管２２の一方の端部３０から突出させ、柱１６の内壁面に噴出口から乾燥した空気を吹き付けて柱１６の内壁面を乾かすことができる。
【００４７】
また、例えば、ホースとしての液送ホース（不図示）を設備開口部４４からガイド管２２の他方の端部４０の管口へ挿入して、液送ホースを構成するホース本体の先端部に設けられた噴出口をガイド管２２の一方の端部３０から突出させ、柱１６の内壁面に噴出口から錆び止め塗料、防腐剤、防菌剤等の補修液を吹き付けて柱１６の内壁面をこの補修液で被覆することができる。
【００４８】
次に、本発明の第１実施形態に係る建物の作用と効果について説明する。
【００４９】
建物１０では、図３（ｃ）に示すように、設備部材としてのスイッチパネル４２を取り外すだけで、点検時に一部の内装壁を取り壊したり、内視鏡等の観察機器を挿入する挿入孔を既設の柱１６にあけたりする等の煩雑な作業を行わずに、内視鏡３４をガイド管２２へ挿入して柱１６の内部を点検することができる。また、観察部としてのカメラ３８はガイド管２２内を移動するので、カメラ３８が柱１６の内壁や補強部材等に当たって、点検する位置にカメラ３８が移動できなくなることがない。
【００５０】
また、図３（ａ）に示すように、柱１６の内部に設けられている補強プレート２４には、ガイド管２２が貫通する貫通孔３２が形成されているので、補強プレート２４が設けられている柱１６の内部へのガイド管２２の配置自由度を高くすることができる。
【００５１】
また、ガイド管２２が柔軟性を有しているので、柱１６の側面に形成された貫通孔２８から柱１６の内部へガイド管２２を挿入して、柱１６の内部にガイド管２２を配置する際に、柱１６の内部にある補強部材等の障害物にガイド管２２の一方の端部３０が当たっても、この一方の端部３０を撓ませて障害物を交わすことができる。
【００５２】
また、図３（ｃ）に示すように、ガイド管２２に挿入した観察機器としての内視鏡３４の観察部としてのカメラ３８によって、柱１６の内部を点検することができる。
【００５３】
また、内視鏡３４のカメラ３８により柱１６の内部を点検した後に、図４に示すように、高圧洗浄ホース４６の放出口５０からの洗浄液の放出（注水）により柱１６の内部を洗浄して補修を行うことができる。
【００５４】
次に、本発明の第２実施形態に係る建物の一例とその作用及び効果について説明する。
【００５５】
第２実施形態の説明において、第１実施形態と同じ構成のものは、同符号を付すると共に、適宜省略して説明する。図５の斜視図に示すように、第２実施形態の建物５２では、隣り合う建物ユニット１４の一方の有する柱１６（以下、「柱１６Ａ」とする）に設けられたガイド管２２の他方の端部４０が、隣り合う建物ユニット１４の他方の有する柱１６（以下、「柱１６Ｂ」とする）を横方向へ貫通している。柱１６Ａと柱１６Ｂとは、近接して隣り合って配置されている。
【００５６】
柱１６Ａに設けられているガイド管２２は、柱１６の内部に設けられているガイド管本体５４と、ガイド管２２の他方の端部４０とによって構成されている。また、このガイド管２２の他方の端部４０は、連結管５６と貫通管５８とによって構成されている。ガイド管本体５４、連結管５６、及び貫通管５８は、合成樹脂によって形成された柔軟性を有する円筒管からなっている。
【００５７】
貫通管５８は、柱１６Ｂの上部を横方向へ貫通し、柱１６Ａから遠くにある方の貫通管５８の端部が柱１６Ｂの外部へ露出している。
【００５８】
連結管５６は、建物ユニット１４を据え付けた際に、ガイド管本体５４の上端部端面の下半分に設けられた円弧状の鍔部６０と、柱１６Ａから近くにある方の貫通管５８の端部端面の下半分に設けられた円弧状の鍔部６２とに、両端部が支持させるようにして、柱１６Ａと柱１６Ｂとの間に設置する。この状態で、ガイド管本体５４、連結管５６、及び貫通管５８が連通し、ガイド管２２が構成される。
【００５９】
よって、建物５２では、隣り合う構造部材としての柱１６Ａ、１６Ｂが近接している場合でも、他方の柱１６Ｂ側にある設備開口部４４から一方の柱１６Ａへ観察機器としての内視鏡３４を送り込むことができる。すなわち、内視鏡３４を送り込む設備開口部４４の位置の自由度が高くなる。
【００６０】
以上、本発明の第１及び第２実施形態について説明した。
【００６１】
なお、第１及び第２実施形態では、構造部材を柱１６とした例を示したが、構造部材は梁であってもよい。特に、床下浸水が生じた際の内部への浸水が懸念される床小梁への第１及び第２実施形態の適用は有効である。
【００６２】
また、第１実施形態では、設備部材をスイッチパネル４２とした例を示したが、設備部材は、スイッチやコンセント等が設けられているパネル、空調等を操作する操作パネル、スイッチボックス、照明装置等の建物設備に関係する着脱可能な部材であればよい。
【００６３】
また、第１及び第２実施形態では、柱１６の側面に外部開口部としての貫通孔２８を形成し、補強プレート２４に内部開口部としての貫通孔３２を形成した例を示したが、外部開口部及び内部開口部は、大きな力が作用しない構造的に安全な部位であれば、柱１６の側面、柱１６の内部のどの位置に形成してもよい。
【００６４】
また、外部開口部及び内部開口部の大きさは、ガイド管２２を貫通できる大きさにし、ガイド管２２の内空断面の大きさは、ガイド管２２へ挿入する観察機器及びホース等（内視鏡３４、高圧洗浄ホース４６、吸水ホース、ダクトホース、液送ホース等）の挿入部材の挿入が可能な大きさ（例えば、直径２５〜３０ｍｍ程度）にする。
【００６５】
また、第１及び第２実施形態では、構造部材としての１つの柱１６に１つのガイド管２２を設けた例を示したが、構造部材に複数のガイド管２２を設けてもよい。
【００６６】
また、第１及び第２実施形態で示したガイド管２２は、内視鏡３４、高圧洗浄ホース４６、吸水ホース、ダクトホース、液送ホース等の挿入部材のガイド管２２への挿入及び引き出しを繰り返し行っても壊れない材料によって形成する。例えば、ガイド管２２は、合成樹脂管、塩ビ管、ＰＦ管としてもよい。また、ガイド管２２を、柔軟性を有する部材としたが、柱１６の内部に配置できれば、ガイド管２２は必ずしも柔軟性のある部材でなくてもよい。
【００６７】
また、ガイド管２２を、曲がり部を形成するようにして柱１６の内部に配置する場合、この曲がり部の曲率は、内視鏡３４、高圧洗浄ホース４６、吸水ホース、ダクトホース、液送ホース等の挿入部材の挿入が可能な程度の曲率よりも大きくする。すなわち、曲がり部は、挿入部材の挿入が可能な程度に緩やかなカーブにする。
【００６８】
また、第１及び第２実施形態で示した構造部材としての柱１６は、貫通孔２８からのガイド管２２の挿入によりガイド管２２を配置できる構造になっていることを述べたが、例えば、図６〜８の方法を用いて、ガイド管２２の挿入を行い易くしてもよい。
【００６９】
図６の断面図には、貫通孔２８付近に位置する柱１６の内部に、柱１６の閉鎖断面を塞ぐように設けられた誘導部材６４が示されている。誘導部材６４には、貫通孔２８へ挿入されたガイド管２２を下方へ導く曲がり貫通孔６６が形成されている。これにより、貫通孔２８へ挿入されたガイド管２２を柱１６の内部下方へスムーズに導き入れることができる。誘導部材６４は、柱１６の強度を向上させる補強部材の役割を兼ねるようにしてもよい。
【００７０】
図７の断面図には、柱１６の内部の床材２６よりもやや低い位置に設けられた、柱１６の下端部（柱梁仕口部）の曲げ強度を高めるための補強部材６８が示されている。補強部材６８には、柱１６の内部下方へ導かれたガイド管２２をさらに下方へ導く貫通孔７０が形成されている。貫通孔７０の内周面には、下方へ向かって縮径するテーパ７２が形成されている。これにより、補強部材６８に形成された貫通孔７０へガイド管２２をスムーズに貫通させることができる。
【００７１】
図８の断面図には、柱１６の上部７４を下部７６（柱梁仕口部）に接合する一例が示されている。ガイド管２２の設置は、まず、柱１６の上部７４と下部７６とを接合する前に、上部７４の側面に形成された貫通孔２８からガイド管２２を挿入し、一方の端部３０が上部７４の下面から十分に突出するまで送り込む。
【００７２】
次に、ガイド管２２の一方の端部３０を補強プレート２４の貫通孔３２へ貫通させる。この状態で、柱１６の上部７４と下部７６とを接合する。
【００７３】
また、第１及び第２実施形態では、観察機器を内視鏡３４とした例を示したが、観察機器は、一端側から他端側の観察を可能とする可撓性を有した長尺状のものであればよい。
【００７４】
また、第１実施形態では、床下に位置する柱１６の内部を点検、補修する例を示したが、柱１６の内部の他の部分を点検、補修してもよい。
【００７５】
また、第１実施形態では、高圧洗浄ホース４６、吸水ホース、ダクトホース、液送ホース等の挿入部材により、柱１６の内部を補修した例を示したが、補修に用いる他の挿入部材によって柱１６の内部を補修してもよい。例えば、可撓性を有する長尺状のアーム部材と、このアーム部材の先端部に設けられた遠隔操作の可能なロボットハンドとによって構成される遠隔操作機器をガイド管２２へ挿入して、柱１６の内部を補修してもよい。
【００７６】
また、第２実施形態では、近接して隣り合って配置された一方の構造部材としての柱１６Ａに設けられたガイド管２２の他方の端部４０を、近接して隣り合って配置された他方の構造部材としての柱１６Ｂを横方向へ貫通させた例を示したが、近接して隣り合う構造部材は、近接又は接触して隣り合う柱と柱、梁と梁、柱と梁、及び梁と柱に対して適用することができる。
【００７７】
以上、本発明の第１及び第２実施形態について説明したが、本発明はこうした実施形態に何等限定されるものでなく、第１及び第２実施形態を組み合わせて用いてもよいし、本発明の要旨を逸脱しない範囲において、種々なる態様で実施し得ることは勿論である。
【符号の説明】
【００７８】
１０、５２  建物
１２  内装壁面（内装面）
１６、１６Ａ、１６Ｂ  柱（構造部材）
２２  ガイド管
２４  補強プレート（補強部材）
２８  貫通孔（外部開口部）
３０  一方の端部
３２、７０  貫通孔（内部開口部）
３４  内視鏡（観察機器）
３８  カメラ（観察部）
４０  他方の端部
４２  スイッチパネル（設備部材）
４４  設備開口部
４６  高圧洗浄ホース（洗浄ホース、ホース）
５６  連結管
５８  貫通管
６８  補強部材
【図１】
2013147801.tif 000003
【図２】
2013147801.tif 000004
【図３】
2013147801.tif 000005
【図４】
2013147801.tif 000006
【図５】
2013147801.tif 000007
【図６】
2013147801.tif 000008
【図７】
2013147801.tif 000009
【図８】
2013147801.tif 000010